【手続補正書】
【提出日】平成16年6月14日(2004.6.14)
【手続補正１】
【補正対象書類名】明細書
【補正対象項目名】発明の名称
【補正方法】変更
【補正の内容】
【発明の名称】電子写真画像形成装置
【手続補正２】
【補正対象書類名】明細書
【補正対象項目名】特許請求の範囲
【補正方法】変更
【補正の内容】
【特許請求の範囲】
【請求項１】
プロセスカートリッジを着脱可能で、記録媒体に画像を形成するための電子写真画像形成装置において、
ａ．電子写真感光体ドラムと、前記電子写真感光体ドラムに作用するプロセス手段と、前記電子写真感光体ドラムの長手方向の一端に設けられた、ねじれた多角柱の突起と、を有するプロセスカートリッジを取り外し可能に装着するカートリッジ装着部と、
ｂ．駆動源につらなり、中心に断面が多角形のねじれた穴を有し、回転自在で軸方向に移動しないように支持された回転体と、
ｃ．前記回転体のねじれた穴に嵌合した、ねじれた多角柱を一端に有し、他端に前記電子写真感光体ドラムの突起と係脱する、ねじれ角及びねじれ方向が前記一端のねじれた多角柱と同一で断面が多角形のねじれた穴を有し、回転自在で前記軸方向に移動自在に支持されたカップリング軸と、
ｄ．前記カップリング軸を前記電子写真感光体ドラムの方向へ付勢するばね部材と、
ｅ．前記カップリング軸のねじれた穴が前記電子写真感光体ドラムのねじれた多角柱の突起と離脱した位置と、前記カップリング軸のねじれた穴が前記電子写真感光体ドラムのねじれた多角柱の突起と係合する位置と、をとるように設けられたカップリング軸の軸方向移動手段と、
ｆ．前記記録媒体を搬送するための搬送手段と、を有することを特徴とする電子写真画像形成装置。
【請求項２】
プロセスカートリッジを着脱可能で、記録媒体に画像を形成するための電子写真画像形成装置において、
ａ．電子写真感光体ドラムと、前記電子写真感光体ドラムに作用するプロセス手段と、前記電子写真感光体ドラムの長手方向の一端に設けられた、ねじれた多角柱の突起と、を有するプロセスカートリッジを取り外し可能に装着するカートリッジ装着部と、
ｂ．駆動源につらなり、中心に断面が多角形のねじれた穴を有し、回転自在で軸方向に移動しないように支持された回転体と、
ｃ．前記回転体のねじれた穴に嵌合した、ねじれた多角柱を一端に有し、他端が前記電子写真感光体ドラムの突起と係脱する、ねじれ角及びねじれ方向が前記一端のねじれた多角柱と同一で断面が多角形のねじれた穴を有し、回転自在で前記軸方向に移動自在に支持されたカップリング軸と、
ｄ．前記カップリング軸を前記電子写真感光体ドラムの方向へ付勢するばね部材と、
ｅ．前記カップリング軸のねじれた穴が前記電子写真感光体ドラムのねじれた多角柱の突起と離脱した位置と、前記カップリング軸のねじれた穴が前記電子写真感光体ドラムのねじれた多角柱の突起と係合する位置と、をとるように設けられたカップリング軸の軸方向移動手段と、
ｆ．前記カップリング軸の前記他端の外周と回転自在で、前記軸方向に移動自在に嵌合するラジアル軸受を有するフランジ部と、前記回転体を前記軸方向で前記電子写真感光体ドラム側へ移動しないように軸承するスラスト軸受部とを一体に有し、前記フランジ部と前記スラスト軸受部間に前記カップリング軸の移動手段を挿通する開口部を備えたカップリング軸受と、
ｇ．前記記録媒体を搬送するための搬送手段と、を有することを特徴とする電子写真画像形成装置。
【請求項３】
プロセスカートリッジを着脱可能で、記録媒体に画像を形成するための電子写真画像形成装置において、
ａ．電子写真感光体ドラムと、前記電子写真感光体ドラムに作用するプロセス手段と、前記電子写真感光体ドラムの長手方向の一端に設けられた、ねじれた多角柱の突起と、を有するプロセスカートリッジを取り外し可能に装着するカートリッジ装着部と、
ｂ．駆動源につらなり、中心に断面が多角形のねじれた穴を有し、回転自在で軸方向に移動しないように支持された回転体と、
ｃ．前記回転体のねじれた穴に嵌合した、ねじれた多角柱を一端に有し、他端が前記電子写真感光体ドラムの突起と係脱する、ねじれ角及びねじれ方向が前記一端のねじれた多角柱と同一で断面が多角柱のねじれた穴を有し、前記一端と他端間にフランジを有し、回転自在で前記軸方向に移動自在に支持されたカップリング軸と、
ｄ．前記カップリング軸を前記電子写真感光体ドラムの方向へ付勢するばね部材と、
ｅ．前記カートリッジ装着部に備えた開閉部材と、
ｆ．前記カップリング軸の前記他端の外周と回転自在で、前記軸方向に移動自在に嵌合するラジアル軸受を有するフランジ部と、前記回転体を前記軸方向で前記電子写真感光体ドラム側へ移動しないように軸承するスラスト軸受部とを一体に有し、前記フランジ部と前記スラスト軸受部間に開口部を備えたカップリング軸受と、
ｇ．前記開口部を挿通するカムレバーであって、前記カップリング軸受のフランジと、前記カップリング軸のフランジ間に間挿されたカムを有し、前記開閉部材の開閉動作と連動するように結合されたカムレバーと、
ｈ．前記記録媒体を搬送するための搬送手段と、
を有することを特徴とする電子写真画像形成装置。
【請求項４】
前記回転体ははす歯ギアである請求項１または２もしくは３に記載の電子写真画像形成装置。
【請求項５】
前記カップリング軸は、前記回転体に動力を伝達する部材を支持する側板に加締め固定された、大小２つの径を同軸上にもつ段付き加締め軸の大径側と小径側に嵌合する段付きの穴を有し、前記カップリング軸を前記電子写真感光体ドラム側に付勢する圧縮ばねを、前記段付き加締め軸の小径側に挿入し、前記圧縮ばねの一方の端部を段付き加締め軸の小径側と大径側の境界面である段付き部に当接し、前記圧縮ばねの他方の端部を、前記カップリング軸の内部に形成され加締め軸の小径側に嵌合したスラスト方向のフランジ部に当接して縮設したことを特徴とする請求項１または２もしくは３に記載の電子写真画像形成装置。
【請求項６】
前記カップリング軸のねじれた穴、及び、前記回転体のねじれた穴の断面は略三角形である、また、前記カップリング軸の突起の形状はねじれた略三角柱である、ここで前記略三角柱の角部は面取りされているものである請求項１または２もしくは３に記載の電子写真画像形成装置。
【請求項７】
前記カートリッジ装着部に前記プロセスカートリッジを着脱する際に開き、前記カートリッジ装着部に前記プロセスカートリッジを装着して閉じるようにカートリッジ装着部に開閉部材を有し、前記開閉部材と前記カップリング軸の軸方向移動手段とを連動する連動部材を有する請求項１または２に記載の電子写真画像形成装置。
【請求項８】
プロセスカートリッジを着脱可能で、記録媒体に画像を形成するための電子写真画像形成装置において、
ａ．電子写真感光体ドラムと、前記電子写真感光体ドラムに作用するプロセス手段と、前記電子写真感光体ドラムの長手方向の一端に設けられた、断面多角形のねじれた穴と、を有するプロセスカートリッジを取り外し可能に装着するカートリッジ装着部と、
ｂ．駆動源につらなり、中心に断面が多角形のねじれた穴を有し、回転自在で軸方向に移動しないように支持された回転体と、
ｃ．前記回転体のねじれた穴に嵌合した、ねじれた多角柱を一端に有し、他端が前記電子写真感光体ドラムのねじれた穴と係脱する、ねじれ角及びねじれ方向が前記一端のねじれた多角柱と同一でねじれた多角柱を有し、回転自在で前記軸方向に移動自在に支持されたカップリング軸と、
ｄ．前記カップリング軸を電子写真感光体ドラムの方向へ付勢するばね部材と、
ｅ．前記開閉部材を開くことにより前記カップリング軸の他端のねじれた多角柱が前記電子写真感光体ドラムのねじれた穴と離脱し、前記開閉部材を閉じることにより前記カップリング軸の他端のねじれた多角柱が前記電子写真感光体ドラムのねじれた穴と係合するカップリング軸の他端の軸方向移動手段と、
ｆ．前記記録媒体を搬送するための搬送手段と、を有することを特徴とする電子写真画像形成装置。
【請求項９】
間隔をおいて本体フレームと回転体に動力を伝達する部材を支持する側板を有し、前記カップリング軸が前記側板に固定された加締め軸に嵌合すると共に本体フレームに回転自在に支持されることにより前記カップリング軸の軸直角面内における位置決めがされる請求項１，２，３，８の何れか１つに記載の電子写真画像形成装置。
【請求項１０】
前記カップリング軸と、前記カップリング軸と連結しうる軸継手部を有し前記電子写真感光体ドラムに嵌合するドラムフランジ部の材料を導電性部材としたことを特徴とする請求項１，２，３，８の何れか１つに記載の電子写真画像形成装置。
【手続補正３】
【補正対象書類名】明細書
【補正対象項目名】０００１
【補正方法】変更
【補正の内容】
【０００１】
【発明の属する技術分野】
本発明はプロセスカートリッジを着脱可能で記録媒体に画像を形成する電子写真画像形成装置に関するものである。ここで、電子写真画像形成装置とは、電子写真画像形成方式を用いて記録媒体に画像を形成する物である。そして、電子写真画像形成装置の例としては、例えば電子写真複写機、電子写真プリンタ（例えばレーザービームプリンタ、ＬＥＤプリンタ等）ファクシミリ装置及びワードプロセッサ等が含まれる。
【手続補正４】
【補正対象書類名】明細書
【補正対象項目名】０００４
【補正方法】変更
【補正の内容】
【０００４】
本発明の目的は、プロセスカートリッジの電子写真感光体ドラムの回転速度を向上させ得た電子写真画像形成装置を提供することにある。
【手続補正５】
【補正対象書類名】明細書
【補正対象項目名】０００７
【補正方法】変更
【補正の内容】
【０００７】
【課題を解決するための手段】
本出願に係る第１の発明はプロセスカートリッジを着脱可能で、記録媒体に画像を形成するための電子写真画像形成装置において、
ａ．電子写真感光体ドラムと、前記電子写真感光体ドラムに作用するプロセス手段と、前記電子写真感光体ドラムの長手方向の一端に設けられた、ねじれた多角柱の突起と、を有するプロセスカートリッジを取り外し可能に装着するカートリッジ装着部と、
ｂ．駆動源につらなり、中心に断面が多角形のねじれた穴を有し、回転自在で軸方向に移動しないように支持された回転体と、
ｃ．前記回転体のねじれた穴に嵌合した、ねじれた多角柱を一端に有し、他端に前記電子写真感光体ドラムの突起と係脱する、ねじれ角及びねじれ方向が前記一端のねじれた多角柱と同一で断面が多角形のねじれた穴を有し、回転自在で前記軸方向に移動自在に支持されたカップリング軸と、
ｄ．前記カップリング軸を前記電子写真感光体ドラムの方向へ付勢するばね部材と、
ｅ．前記カップリング軸のねじれた穴が前記電子写真感光体ドラムのねじれた多角柱の突起と離脱した位置と、前記カップリング軸のねじれた穴が前記電子写真感光体ドラムのねじれた多角柱の突起と係合する位置と、をとるように設けられたカップリング軸の軸方向移動手段と、
ｆ．前記記録媒体を搬送するための搬送手段と、を有することを特徴とする電子写真画像形成装置である。
【手続補正６】
【補正対象書類名】明細書
【補正対象項目名】０００８
【補正方法】変更
【補正の内容】
【０００８】
本出願に係る第２の発明プロセスカートリッジを着脱可能で、記録媒体に画像を形成するための電子写真画像形成装置において、
ａ．電子写真感光体ドラムと、前記電子写真感光体ドラムに作用するプロセス手段と、前記電子写真感光体ドラムの長手方向の一端に設けられた、ねじれた多角柱の突起と、を有するプロセスカートリッジを取り外し可能に装着するカートリッジ装着部と、
ｂ．駆動源につらなり、中心に断面が多角形のねじれた穴を有し、回転自在で軸方向に移動しないように支持された回転体と、
ｃ．前記回転体のねじれた穴に嵌合した、ねじれた多角柱を一端に有し、他端が前記電子写真感光体ドラムの突起と係脱する、ねじれ角及びねじれ方向が前記一端のねじれた多角柱と同一で断面が多角形のねじれた穴を有し、回転自在で前記軸方向に移動自在に支持されたカップリング軸と、
ｄ．前記カップリング軸を前記電子写真感光体ドラムの方向へ付勢するばね部材と、
ｅ．前記カップリング軸のねじれた穴が前記電子写真感光体ドラムのねじれた多角柱の突起と離脱した位置と、前記カップリング軸のねじれた穴が前記電子写真感光体ドラムのねじれた多角柱の突起と係合する位置と、をとるように設けられたカップリング軸の軸方向移動手段と、 
ｆ．前記カップリング軸の前記他端の外周と回転自在で、前記軸方向に移動自在に嵌合するラジアル軸受を有するフランジ部と、前記回転体を前記軸方向で前記電子写真感光体ドラム側へ移動しないように軸承するスラスト軸受部とを一体に有し、前記フランジ部と前記スラスト軸受部間に前記カップリング軸の移動手段を挿通する開口部を備えたカップリング軸受と、
ｇ．前記記録媒体を搬送するための搬送手段と、を有することを特徴とする電子写真画像形成装置である。
【手続補正７】
【補正対象書類名】明細書
【補正対象項目名】０００９
【補正方法】変更
【補正の内容】
【０００９】
本出願に係る第３の発明はプロセスカートリッジを着脱可能で、記録媒体に画像を形成するための電子写真画像形成装置において、
ａ．電子写真感光体ドラムと、前記電子写真感光体ドラムに作用するプロセス手段と、前記電子写真感光体ドラムの長手方向の一端に設けられた、ねじれた多角柱の突起と、を有するプロセスカートリッジを取り外し可能に装着するカートリッジ装着部と、
ｂ．駆動源につらなり、中心に断面が多角形のねじれた穴を有し、回転自在で軸方向に移動しないように支持された回転体と、
ｃ．前記回転体のねじれた穴に嵌合した、ねじれた多角柱を一端に有し、他端が前記電子写真感光体ドラムの突起と係脱する、ねじれ角及びねじれ方向が前記一端のねじれた多角柱と同一で断面が多角柱のねじれた穴を有し、前記一端と他端間にフランジを有し、回転自在で前記軸方向に移動自在に支持されたカップリング軸と、
ｄ．前記カップリング軸を前記電子写真感光体ドラムの方向へ付勢するばね部材と、
ｅ．前記カートリッジ装着部に備えた開閉部材と、
ｆ．前記カップリング軸の前記他端の外周と回転自在で、前記軸方向に移動自在に嵌合するラジアル軸受を有するフランジ部と、前記回転体を前記軸方向で前記電子写真感光体ドラム側へ移動しないように軸承するスラスト軸受部とを一体に有し、前記フランジ部と前記スラスト軸受部間に開口部を備えたカップリング軸受と、 
ｇ．前記開口部を挿通するカムレバーであって、前記カップリング軸受のフランジと、前記カップリング軸のフランジ間に間挿されたカムを有し、前記開閉部材の開閉動作と連動するように結合されたカムレバーと、
ｈ．前記記録媒体を搬送するための搬送手段と、
を有することを特徴とする電子写真画像形成装置である。
【手続補正８】
【補正対象書類名】明細書
【補正対象項目名】００１２
【補正方法】変更
【補正の内容】
【００１２】
本出願に係る第６の発明は前記カップリング軸のねじれた穴、及び、前記回転体のねじれた穴の断面は略三角形である、また、前記カップリング軸の突起の形状はねじれた略三角柱である、ここで前記略三角柱の角部は面取りされているものである第１または第２もしくは第３の発明に記載の電子写真画像形成装置である。
【手続補正９】
【補正対象書類名】明細書
【補正対象項目名】００１３
【補正方法】変更
【補正の内容】
【００１３】
本出願に係る第７の発明は前記カートリッジ装着部に前記プロセスカートリッジを着脱する際に開き、前記カートリッジ装着部に前記プロセスカートリッジを装着して閉じるようにカートリッジ装着部に開閉部材を有し、前記開閉部材と前記カップリング軸の軸方向移動手段とを連動する連動部材を有する第１または第２の発明に記載の電子写真画像形成装置である。
【手続補正１０】
【補正対象書類名】明細書
【補正対象項目名】００１４
【補正方法】変更
【補正の内容】
【００１４】
本出願に係る第８の発明はプロセスカートリッジを着脱可能で、記録媒体に画像を形成するための電子写真画像形成装置において、
ａ．電子写真感光体ドラムと、前記電子写真感光体ドラムに作用するプロセス手段と、前記電子写真感光体ドラムの長手方向の一端に設けられた、断面多角形のねじれた穴と、を有するプロセスカートリッジを取り外し可能に装着するカートリッジ装着部と、
ｂ．駆動源につらなり、中心に断面が多角形のねじれた穴を有し、回転自在で軸方向に移動しないように支持された回転体と、
ｃ．前記回転体のねじれた穴に嵌合した、ねじれた多角柱を一端に有し、他端が前記電子写真感光体ドラムのねじれた穴と係脱する、ねじれ角及びねじれ方向が前記一端のねじれた多角柱と同一でねじれた多角柱を有し、回転自在で前記軸方向に移動自在に支持されたカップリング軸と、
ｄ．前記カップリング軸を電子写真感光体ドラムの方向へ付勢するばね部材と、
ｅ．前記開閉部材を開くことにより前記カップリング軸の他端のねじれた多角柱が前記電子写真感光体ドラムのねじれた穴と離脱し、前記開閉部材を閉じることにより前記カップリング軸の他端のねじれた多角柱が前記電子写真感光体ドラムのねじれた穴と係合するカップリング軸の他端の軸方向移動手段と、
ｆ．前記記録媒体を搬送するための搬送手段と、を有することを特徴とする電子写真画像形成装置である。
【手続補正１１】
【補正対象書類名】明細書
【補正対象項目名】００１５
【補正方法】変更
【補正の内容】
【００１５】
本出願に係る第９の発明は間隔をおいて本体フレームと回転体に動力を伝達する部材を支持する側板を有し、前記カップリング軸が前記側板に固定された加締め軸に嵌合すると共に本体フレームに回転自在に支持されることにより前記カップリング軸の軸直角面内における位置決めがされる第１，第２，第３，第８の何れか１つの発明に記載の電子写真画像形成装置である。
【手続補正１２】
【補正対象書類名】明細書
【補正対象項目名】００１６
【補正方法】変更
【補正の内容】
【００１６】
本出願に係る第１０の発明は前記カップリング軸と、前記カップリング軸と連結しうる軸継手部を有し前記電子写真感光体ドラムに嵌合するドラムフランジ部の材料を導電性部材としたことを特徴とする第１，第２，第３，第８の何れか１つの発明に記載の電子写真画像形成装置である。
【手続補正１３】
【補正対象書類名】明細書
【補正対象項目名】００１７
【補正方法】削除
【補正の内容】
【手続補正１４】
【補正対象書類名】明細書
【補正対象項目名】００１８
【補正方法】削除
【補正の内容】
【手続補正１５】
【補正対象書類名】明細書
【補正対象項目名】００１９
【補正方法】削除
【補正の内容】
【手続補正１６】
【補正対象書類名】明細書
【補正対象項目名】００２０
【補正方法】削除
【補正の内容】
【手続補正１７】
【補正対象書類名】明細書
【補正対象項目名】００２１
【補正方法】削除
【補正の内容】
【手続補正１８】
【補正対象書類名】明細書
【補正対象項目名】００２２
【補正方法】削除
【補正の内容】
【手続補正１９】
【補正対象書類名】明細書
【補正対象項目名】０１１２
【補正方法】変更
【補正の内容】
【０１１２】
また本発明によれば、駆動力の伝達を行う際（画像形成時）には、装置本体に設けられたカップリング軸の回転中心と、電子写真感光体ドラムに設けられた軸継手部材の回転中心とを略一致させることができた。
【手続補正２０】
【補正対象書類名】明細書
【補正対象項目名】０１１４
【補正方法】変更
【補正の内容】
【０１１４】
また本発明によれば、駆動伝達を行わない時（非画像形成で開閉部材を開いた時）には、画像形成装置本体とプロセスカートリッジとの間の軸継手の接続が切断されており、これによってプロセスカートリッジの画像形成装置本体からの取り出し操作性を向上させることができた。